(57)【要約】【課題】プラグをより強い嵌合力でコンセントに取り付け、保持するための電源プラグコード、及び延長コードセットを提供する。【解決手段】延長コードセット１は、電源プラグコード２０、及びテーブルタップ１０を含む。電源プラグコード２０は、プラグ本体２４、及びコード２２を含む。コード２２は、プラグ本体に対して着脱不可に接続される。プラグ本体２４は２対の差込端子を備える。２対の差込端子は、所定の間隔で配置される。２対の差込端子のうち少なくとも１対は、コード２２と電気的に接続される。【選択図】図１
2014157739.tif 000002
【特許請求の範囲】
【請求項１】
２対の差込端子を備えるプラグ本体と、
前記２対の差込端子のうち少なくとも１対の差込端子と電気的に接続され、前記プラグ本体と着脱不可に接続されるコードと、
を備えることを特徴とする電源プラグコード。
【請求項２】
前記２対の差込端子のうち１対の差込端子は、前記コードと電気的に非接続であることを特徴とする請求項１に記載の電源プラグコード。
【請求項３】
前記コードと電気的に非接続である差込端子は、前記コードと電気的に接続する差込端子に対して位置を調整可能に構成されることを特徴とする請求項２に記載の電源プラグコード。
【請求項４】
前記コードは、前記プラグ本体を壁コンセントに取り付けた状態で前記プラグ本体から鉛直下向きに延出するよう構成されることを特徴とする請求項１から３のいずれかに記載の電源プラグコード。
【請求項５】
前記プラグ本体の前記コードが延出する側の反対側の端である上端と、前記２対の差込端子のうち該上端に近い差込端子との距離は、前記プラグ本体の前記コードが延出する側の端である下端と、前記２対の差込端子のうち該下端に近い差込端子との距離よりも短いことを特徴とする請求項１から４のいずれかに記載の電源プラグコード。
【請求項６】
２対の差込端子を備えるプラグ本体と、
マルチタップと、
前記２対の差込端子のうち少なくとも１対の差込端子と前記マルチタップとに電気的に接続され、前記プラグ本体と着脱不可に接続されるコードと、
を備えることを特徴とする延長コードセット。
【発明の詳細な説明】
【技術分野】
【０００１】
本発明は、電源を供給するための配線器具に関し、特に、電源プラグコード、及び延長コードセットに関する。
【背景技術】
【０００２】
一般的に、家電製品等の電気器具に電力を供給するため、壁面に電力を供給するための電源コンセントが設けられ、壁の電源コンセントと電気器具を接続するために配線器具が用いられる。電気器具を安全に使用するために様々な形態の配線器具が提案されている。
例えば特許文献１には、壁コンセントに挿す電源プラグに埃が溜まらないようにカバーを設けるとともに、カバーの厚さを薄くするカバー付きコンセントタップが記載されている。
また特許文献２には、ＡＣインレットあるいはアウトレットの周囲を化粧版などで覆われた電子機器本体であっても、追加ねじや粘着テープを使用せずにＡＣコードを確実に固定できるＡＣコード脱落防止具が記載されている。
【先行技術文献】
【特許文献】
【０００３】
【特許文献１】実用新案登録第３１７５２４６号公報
【特許文献２】特開２０１１−１８７３３４号公報
【発明の概要】
【発明が解決しようとする課題】
【０００４】
壁コンセントに差し込んだプラグやそのコードに人や物が接触し、不完全な差し込み状態となったり、プラグがコンセントから抜けたりする場合がある。不完全な差し込み状態で電気器具を使用し続けると、嵌合部が発熱するなど安全上問題が生じうる。また、プラグがコンセントから抜けていきなり電源供給が断たれると、例えば読み取り／書き込み作業中のハードディスクの不具合等の機器故障が生じうる。
【０００５】
良好な接続状態を維持するために、例えばプラグの回転によりプラグをコンセントに固定する引掛形コンセント等も製品化されているが、壁コンセント自体を取り替える必要がある。壁コンセントの交換は電気工事扱いとなりコストが嵩むため、既存の壁コンセントを交換せずに、プラグが不用意に壁コンセントから抜けないようにしたいという要求がある。
【０００６】
本発明はこうした課題に鑑みてなされたものであり、その目的は、プラグをより強い嵌合力でコンセントに取り付け、保持するための電源プラグコード、及び延長コードセットを提供することにある。
【課題を解決するための手段】
【０００７】
上記課題を解決するために、本発明のある態様の電源プラグコードは、２対の差込端子を備えるプラグ本体と、２対の差込端子のうち少なくとも１対の差込端子と電気的に接続され、プラグ本体と着脱不可に接続されるコードと、を備える。
【０００８】
本発明の別の態様は、延長コードセットである。この延長コードセットは、２対の差込端子を備えるプラグ本体と、マルチタップと、２対の差込端子のうち少なくとも１対の差込端子とマルチタップとに電気的に接続され、プラグ本体と着脱不可に接続されるコードと、を備える。
【０００９】
なお、以上の構成要素の任意の組合せ、本発明の表現を方法、装置、システムなどの間で変換したものもまた、本発明の態様として有効である。
【発明の効果】
【００１０】
本発明によれば、プラグをより強い嵌合力でコンセントに取り付け、保持できる。
【図面の簡単な説明】
【００１１】
【図１】本発明の実施形態にかかる延長コードセットの構成を示す斜視図である。
【図２】本発明の実施形態にかかる電源プラグコードの電源用差込端子、および疑似差込端子を壁コンセントの差し込み口に差し込んだ状態を示す図である。
【図３】疑似差込端子の位置を調整可能な電源プラグコードの例を示す図である。
【図４】図３の電源プラグコードの疑似プラグユニットの構成を示す図である。
【図５】疑似差込端子の位置を調整可能な電源プラグコードの別の例を示す図である。
【図６】図５の電源プラグコードの疑似プラグユニットの構成を示す図である。
【図７】図５の電源プラグコードの疑似プラグユニットの構成を示す図である。
【図８】把持手段としてグリップを備える電源プラグコードを壁コンセントに取り付けた状態の上面図である。
【図９】把持手段として挿入部を備える電源プラグコードを壁コンセントに取り付けた状態の側面図である。
【図１０】従来のＬ字プラグコード２個を２口の壁コンセントに差し込んで使用している状態を示す図である。
【発明を実施するための形態】
【００１２】
はじめに概要を説明する。
壁コンセントに差し込まれたプラグやそのコードが壁面から大きく張り出すと、人や物と接触する確率が高くなり、接触によりプラグが抜けてしまう場合がある。
また、コードが壁面に対して垂直になるよう差し込むタイプのプラグは、コードの自重による鉛直下向きの重力の影響で徐々に抜けてきて不完全な接続状態となる場合がある。
【００１３】
このため、コードを壁面に沿って鉛直下方向に配置できるタイプのプラグ（本明細書において、「Ｌ字プラグ」ともいう)も広く用いられている。
しかしながら、一般家庭で広く用いられている２口の壁コンセントにおいて上側の差込口にＬ字プラグを差し込むと、そのＬ字プラグのコードが、下側の差込口の前に垂れ下がることになる。
【００１４】
図１０は、従来のＬ字プラグコード１００ａおよび１００ｂを壁３０に設けられたコンセントに差し込んで使用している状態を示す図である。上側に取り付けられたプラグコード１００ａのコード１０４ａは、下側に取り付けられたプラグコード１００ｂのプラグ本体１０６ｂに接触して曲げられている。
このようにコード１０４ａを無理に曲げたり捻ったりした状態でプラグコードを差し込むと、使用しているうちに差込端子１０２ａが壁コンセントから抜けたり、またコード１０４ａが破損したりする。
【００１５】
本発明の実施形態にかかる電源プラグコードにおいては、一つのプラグ本体に２対の差込端子が設けられる。２対の差込端子が壁コンセントの２つの差込口にそれぞれ嵌合するため、プラグ本体は通常の２倍の嵌合力で壁コンセントに固定される。また、１対の差込端子を１つの差込口に差し込む場合はプラグが２点で支持されるのに対して、２対の差込端子を２つの差込口に差し込む場合はプラグ本体が４点で支持されるため、より安定した状態でプラグ本体を壁コンセントに対して固定できる。
【００１６】
以下、詳細に説明する。
図１は、本発明の実施形態にかかる延長コードセット１の構成を示す斜視図である。
延長コードセット１は、電源プラグコード２０、及びテーブルタップ１０を備える。電源プラグコード２０は、プラグ本体２４、及びコード２２を含む。コード２２の一端はプラグ本体２４と着脱不可に接続され、他端はテーブルタップ１０と接続される。
【００１７】
プラグ本体２４とコード２２とを着脱不可に接続することにより、コード２２がプラグ本体２４から不用意に抜けてしまう事態を防止できる。
テーブルタップ１０には、プラグ差込口１２ａ、プラグ差込口１２ｂ、プラグ差込口１２ｃ、およびプラグ差込口１２ｄが設けられる。プラグ差込口１２の数は例えば、想定される使用電気器具の合計消費電力が想定される供給可能電力を上回らない範囲で任意に定めてよい。
【００１８】
プラグ本体２４は、ケース２５、電源用差込端子２６、及び疑似差込端子２８を備える。このように、２対の差込端子を１つのプラグ本体２４に設けることで、プラグ本体２４を通常の２倍の嵌合力で壁コンセントに固定できる。また、プラグ本体２４が壁コンセントに対して４点で支持されるため、より安定した状態でプラグ本体を固定できる。
また、壁コンセントの２つの差込口を塞ぐことにより、例えば図１０のようなコードが外れ易い状態でのコンセント使用を牽制できる。
【００１９】
電源用差込端子２６および疑似差込端子２８は、ケース２５の一つの側面に所定の間隔で配置される。所定の間隔は、使用が想定される壁用ダブルコンセントの２つの差し込み口の間隔であり、例えば３４ミリメートル程度であってもよい。
【００２０】
また、図１においては電源用差込端子２６および疑似差込端子２８の例として２極端子を示しているが、電源用差込端子２６および疑似差込端子２８は接地極付きの３極端子として構成されてもよい。この場合、電源用差込端子２６と疑似差込端子２８との間の所定の間隔は、使用が想定される壁用３極ダブルコンセントにおいて２つの差し込み口が配置される間隔であり、例えば３２〜４０ミリメートル程度であってもよい。
【００２１】
また、図１においては日本で一般的に用いられる家庭用１００Ｖコンセント（ＪＩＳ  Ｃ８３０３）用の差込端子形状およびソケット孔形状を示しているが、本実施形態にかかる電源用差込端子、疑似差込端子、およびテーブルタップのソケット孔の形状はこれに限られず、例えばＡ、Ｂ、Ｂ３、ＢＦ、Ｃ、ＳＥ、Ｏタイプのいずれの差込端子またはソケット形状であってもよい。
【００２２】
ケース２５内で、電源用差込端子２６はコード２２の一端と電気的に接続されている（図示せず）。一方、疑似差込端子２８は、コード２２と電気的に接続されない（図示せず）。
電源用差込端子２６は金属等の電通可能な材質で形成される。疑似差込端子２８は金属などの電通可能な材質で形成されてもよく、また樹脂やプラスチックなどの絶縁材料で形成されてもよい。
【００２３】
なお、ここではプラグ本体２４の上側に電源用差込端子２６、下側に疑似差込端子２８を設けた例を示した。このように配置することにより、コード２２が引っ張られた時などに電源用差込端子２６がより抜けづらくなる。詳細は後述する。
一方、プラグ本体２４の上側に疑似差込端子２８、下側に電源用差込端子２６が設けられてもよい。これにより、電気的にコード２２と接続すべき電源用差込端子２６とコード２２の端との距離がより近くなるため、ケース２５内での配線長が短くなる。
【００２４】
図２は、本発明の実施形態にかかる電源プラグコード２０の電源用差込端子２６、および疑似差込端子２８を壁３０に設けられた壁コンセントの差し込み口に差し込んだ状態を示す。図２では、壁コンセントの一部であるコンセントプレート３２のみ示し、壁コンセントの他の構成の図示は省略する。コード２２は、プラグ本体２４を通常の使用状態で壁コンセントに取り付けたときにプラグ本体２４から鉛直下向きに延出するようプラグ本体２４に接続される。これにより、コード２２の自重でプラグ本体２４が壁コンセントから外れるような事態を防止できる。
【００２５】
図２の電源プラグコード２０において、プラグ本体２４のコード２２が延出する側の反対側の端である上端と、２対の差込端子のうち上端に近い電源用差込端子２６との間の部分を「上部」という。また、プラグ本体２４のコード２２が延出する側の端である下端と、２対の差込端子のうち下端に近い疑似差込端子２８との間の部分を「下部」という。図２の鉛直方向の上部の長さ３４は、下部の長さ３６よりも短い。
【００２６】
例えばユーザが誤ってコード２２につまずき、コード２２が不用意に引っ張られたような場合、プラグ本体２４はコード２２との接続個所において壁から離れる向きに力を受ける。この力によりプラグ本体２４が壁３０から引き離され、プラグ本体２４と壁３０との間に隙間が生じる際、プラグ本体２４の上端とコンセントプレート３２とが接触する部分が支点となる。したがって、プラグ本体２４と壁３０との隙間は、下端において比較的大きく、支点である上端に近づく程比較的小さくなる。
【００２７】
従って、上端から電源用差込端子２６までの距離、すなわち上部の長さ３４のケース２５の長さに対する比を小さくすることにより、下部がコンセントプレート３２から若干引き離されて隙間が生じたとしても、電源用差込端子２６の位置においてプラグ本体２４が壁３０から引き離される距離は小さくなるため、電源用差込端子２６と壁コンセントとの嵌合状態が保たれる。
例えば上部の長さ３４を下部の長さ３６よりも短くすることにより、そうでない場合に比べて上部の長さ３４のケース２５の長さに対する比を小さくできる。
【００２８】
図１においては、コード２２のプラグ本体２４と反対の端がテーブルタップ１０に接続される延長コードセット１の例を示したが、本実施形態はこれに限られず、電源プラグコード２０のプラグ本体２４と反対の端に電気器具が直接接続されていてもよく、また電気器具用の差し込みプラグが接続されていてもよい。
【００２９】
変形例として、図３は疑似差込端子の位置を調整可能な電源プラグコード４０の例を示す。電源プラグコード４０において、疑似プラグユニット４４及びその位置を調整する手段以外の構成は上述の電源プラグコード２０の構成と同様であり、同様の構成には同じ符号を付す。以下、異なる構成について主に説明する。
【００３０】
電源プラグコード４０は、プラグ本体４１、および、コード２２を備える。電源プラグコード４０はコード２２のプラグ本体４１と反対側の端において、テーブルタップに接続されていてもよく、電気器具に接続されていてもよく、また電気器具用の差し込みプラグに接続されていてもよい。
プラグ本体４１は、ケース４２、電源用差込端子２６、疑似プラグユニット４４を備える。ケース４２は、疑似プラグユニット４４を位置調整可能に収容するための凹部４８を備え、凹部４８の側面にはそれぞれ、疑似プラグユニット４４を移動可能に支持するためのスリット５０が設けられる。図３においては、一方の側面のスリット５０のみ示す。
【００３１】
図４は、図３の疑似プラグユニット４４の構成を示す。
疑似プラグユニット４４は、ベース部５４と、ベース部５４から突出する疑似差込端子４６と、疑似プラグユニット４４を所望の位置で固定するための係止部５２とを備える。
疑似差込端子４６は、コード２２と電気的に接続されない。疑似差込端子４６は金属など電通可能な材質で形成されてもよく、また樹脂やプラスチックなどの絶縁材料で形成されてもよい。
【００３２】
凹部４８の側面のスリット５０は、その輪郭の一方の側または両側が鋸歯状に形成される。疑似プラグユニット４４の係止部５２とスリット５０の鋸歯とは係合可能、かつ所定の力がかかると係合が外れるよう構成される。このため、ケース４２や係止部５２は、例えばゴム、プラスチックや樹脂などの弾性部材で形成されてもよい。またスリット５０の鋸歯や係止部５２は丸みをおびた形状とされてもよい。
【００３３】
疑似プラグユニット４４の係止部５２とスリット５０の鋸歯との係合により、疑似プラグユニット４４の位置が固定される。所定の始動閾値以上の力が加わるとスリット５０に設けられた鋸歯と係止部５２との係合が外れる。そして疑似プラグユニット４４はスリット５０に沿って次の鋸歯と係合する位置まで摺動する。ユーザは、ベース部５４を把持して疑似プラグユニット４４を段階的に移動させ、所望の位置で係止させることにより、疑似プラグユニット４４の位置を調整できる。所定の始動閾値は、一般的なユーザが疑似プラグユニット４４の位置を調整する意志をもって疑似プラグユニット４４を動かすときの力程度となるよう、鋸歯と係止部５２の材質や形状、位置を決定する。
【００３４】
図３及び図４では、疑似プラグユニット４４が係止部５２を有し、凹部４８がスリット５０を有する例を示したが、疑似プラグユニット４４に係止部５２の代わりにスリットを設け、凹部４８にスリット５０の代わりに突出する係止部を設けてもよい。これにより、疑似プラグユニット４４がケース４２に対して段階的に移動可能に支持される。
【００３５】
図５は、疑似差込端子の位置を調整可能な電源プラグコードの別の例を示す。電源プラグコード６０において、疑似プラグユニット６４及びその位置を調整する手段以外の構成は上述の電源プラグコード２０の構成と同様であり、同様の構成には同じ符号を付す。以下、異なる構成について主に説明する。
【００３６】
電源プラグコード６０は、プラグ本体６１、及びコード２２を備える。電源プラグコード６０はコード２２のプラグ本体６１と反対側の端において、テーブルタップに接続されていてもよく、電気器具に接続されていてもよく、また電気器具用の差し込みプラグに接続されていてもよい。
プラグ本体６１は、ケース６２、電源用差込端子２６、疑似プラグユニット６４を備える。ケース６２は、疑似プラグユニット６４を位置調整可能に収納するための凹部６８を備え、凹部６８の底面には、疑似プラグユニット６４を移動可能に支持するためのスリット７０が設けられる。
【００３７】
図６および図７は、図５の疑似プラグユニット６４の構成を示す。
疑似プラグユニット６４は、ベース部７２、ベース部７２から突出する疑似差込端子６６、疑似プラグユニット６４をケース６２に対して移動可能に支持する支持部７４、及びベース部７２と支持部７４とを結合する結合部７６を備える。支持部７４は、疑似プラグユニット６４を所望の位置で固定するための係止部７８を備える。
疑似差込端子６６は、コード２２と電気的に接続されない。疑似差込端子６６は金属など電通可能な材質で形成されてもよく、また樹脂やプラスチックなどの絶縁材料で形成されてもよい。
【００３８】
図５に示すプラグ本体６１の内部において疑似プラグユニット６４に近い側、すなわちスリット７０の内側には、疑似プラグユニット６４の支持部７４を移動可能に収容するスペースである通路（図示せず）が設けられる。通路において、支持部７４の係止部７８と係合可能な位置に鋸歯部が設けられる(図示せず)。
【００３９】
疑似プラグユニット６４の係止部７８とケース６２内の通路の鋸歯部とは係合可能、かつ所定の力がかかると係合が外れるよう構成される。このため、ケース６２や係止部７８は、例えばゴム、プラスチックや樹脂などの弾性部材で形成されてもよい。またケース６２内の鋸歯部や係止部７８は丸みをおびた形状とされてもよい。
【００４０】
疑似プラグユニット６４の係止部７８とケース６２内の通路の鋸歯部との係合により、疑似プラグユニット６４の位置が固定される。
また、所定の始動閾値以上の力が加わると鋸歯部と係止部７８との係合が外れる。そして疑似プラグユニット６４はスリット７０に沿って次の鋸歯と係合する位置まで摺動する。ユーザは、ベース部７２を把持して疑似プラグユニット６４を段階的に移動させ、所望の位置で係止させることにより、疑似プラグユニット６４の位置を調整できる。所定の始動閾値は、一般的なユーザが疑似プラグユニット６４の位置を調整する意志をもって疑似プラグユニット６４を動かすときの力程度となるよう、鋸歯部と係止部７８の材質や形状、位置を決定する。
【００４１】
図５から７では、疑似プラグユニット６４が支持部７４および結合部７６を有し、凹部６８がスリット７０及び図示しない通路を有する例を示した。これに代えて、疑似プラグユニット６４を中空に構成してスリットおよび通路を設け、凹部６８にレール状に突出する支持部および結合部７６を設けてもよい。これにより、疑似プラグユニット６４がケース６２に対して段階的に移動可能に支持される。
【００４２】
以上、疑似差込端子をケースに対して移動させるための位置調整機構の例について説明したが、位置調整機構はこれに限られない。疑似差込端子の位置を調整可能であり、かつプラグを壁コンセントに対して挿抜する際の力によって疑似差込端子がプラグ本体から外れたり、プラグ本体に対して移動したりしないよう固定できる機構であれば、任意の機構が用いられてよい。
【００４３】
例えば、疑似プラグユニットのプラグ本体側と、プラグ本体の疑似プラグユニット側にそれぞれ嵌合部を設け、プラグ本体に疑似プラグユニットを押し込むことで嵌合される構成としてもよい。この場合プラグ本体側の嵌合部は、複数個所でプラグユニットの嵌合部と嵌合可能に構成される。
【００４４】
また前述の例では疑似差込端子をケースに対して段階的に移動させる機構を示したが、これに限られず、所定の範囲内の任意の位置で例えばネジ等で固定するよう構成されてもよい。
また前述の例では疑似プラグユニットをケースに対して移動させる機構を示したが、これに限られず、プラグ本体のケースが例えば延出可能な入れ子式ケース等として構成され、ケースの電源用差込端子を有する部分が、ケースの疑似差込端子を有する部分に対して移動可能、かつ所望の位置で固定可能であるよう構成されてもよい。
【００４５】
このように疑似差込端子と電源用差込端子との間隔を調整可能とすることで、電源プラグコードのプラグ本体を、差込口の間隔が異なる複数のタイプの壁コンセントにおいて通常より強い嵌合力で保持できる。また３口以上の差込口を有する壁コンセントにおいても、任意の２つの差込口の間隔に疑似差込端子と電源用差込端子との間隔を合わせることで、プラグ本体を通常より強い嵌合力で壁コンセントに取り付け、保持できる。
【００４６】
また、図３に示す電源プラグコード４０において、疑似プラグユニット４４は、ケース４２から取り外し可能に構成されてもよい。
同様に、図５に示す電源プラグコード６０において、疑似プラグユニット６４は、ケース６２から取り外し可能に構成されてもよい。
これにより、壁コンセントにおいて差込口が一つしか空いていない場合等に、電源プラグコード４０や電源プラグコード６０を通常の嵌合力の電源プラグコードとしても使用できる。
【００４７】
以上のように実施形態にかかる電源プラグコードのプラグ本体は一体として形成され、または複数のパーツの組み合わせにより形成されるが、いずれの場合もプラグ本体は２対の差込端子の相対的な位置を固定可能に形成される。これにより、プラグ本体は、壁コンセントに対して通常より強い嵌合力で固定される。
したがって、プラグ本体を壁コンセントから外すときのために、ユーザがプラグ本体を掴むための把持手段がプラグ本体に設けられてもよい。
【００４８】
図８は、把持手段としてグリップ８４を備える電源プラグコード８０を壁３０に設けられた壁コンセントに取り付けた状態を上から見た様子を示す。
図８において、グリップ８４以外の構成は、図１、図２、図３または図５に示した構成と同様であり、同様の構成には同じ符号を付す。以下、異なる構成について主に説明する。
【００４９】
電源プラグコード８０のプラグ本体８１において、ケース８２には両側面にグリップ８４として窪みが設けられる。ユーザは、指をグリップ８４に引掛けて壁３０からプラグ本体８１を引き離すことで、通常のプラグよりも大きい嵌合力で壁コンセントに固定されているプラグ本体８１を壁コンセントから取り外せる。
【００５０】
図９は、把持手段として挿入部９６を備える電源プラグコード９０を壁３０に設けられた壁コンセントに取り付けた状態を横から見た様子を示す。
図９において、挿入部９６以外の構成は、図１、図２、図３または図５に示した構成と同様であり、同様の構成には同じ符号を付す。以下、異なる構成について主に説明する。
【００５１】
電源プラグコード９０のプラグ本体９４において、ケース９２には挿入部９６が設けられる。挿入部９６は例えば、ケース９２のコンセントプレート３２に接する面における溝として形成される。図９のようにプラグ本体９４を壁コンセントに取り付けた状態で、ケース９２とコンセントプレート３２との間に挿入部９６による隙間が形成される。
ユーザは、例えばバンドや細長い板状の工具などをコンセントプレート３２と挿入部９６のなす隙間に挿入し、そのバンドや工具を手前に引くことにより、通常のプラグよりも大きい嵌合力で壁コンセントに支持されているプラグ本体９４を壁コンセントから取り外せる。
【００５２】
把持手段はこれらの例に限られず、通常の使用時に邪魔にならず、壁コンセントに取り付けられたプラグ本体を取り外す際にユーザがプラグ本体に力を加え易くする任意の構成であってよい。
把持手段は例えば、通常は壁から突出しない状態に折り畳まれ、または収容され、使用時に引き出されるハンドル等であってもよい。
【００５３】
以上の構成による動作は以下のとおりである。
実施形態にかかる電源プラグコードを用いて電気器具を電源に接続する際、ユーザは、プラグ本体における疑似差込端子の位置を調整し、電源を取得する壁コンセントの２つの差込口の間隔と、プラグ本体の２対の差込端子の間隔とを揃える。
ユーザがプラグ本体の差込端子を壁コンセントの差込口に合わせ、プラグ本体を壁コンセントに対して押し込むと、２対の差込端子が壁コンセントの２つの差込口にそれぞれ勘合し、プラグ本体が壁コンセントに対して通常よりも強い嵌合力で取り付けられる。
これにより、不用意にコードが引っ張られたような場合にもプラグ本体が壁コンセントから抜けづらくなる。よって、電源プラグコードに直接またはテーブルタップを介して接続する電気器具に安全にかつ安定して電力を供給できる。
【００５４】
電源プラグコードを壁コンセントから取り外す際、ユーザは把持手段を用いてプラグ本体に壁コンセントから引き離す向きの力を加える。これにより、通常よりも強い嵌合力で取り付けられているプラグ本体であっても、壁コンセントから比較的容易に取り外せる。
【００５５】
以上、本発明を実施形態にもとづいて説明した。本発明は上述の実施形態に限定されるものではなく、実施形態の各要素を適宜組み合わせたものも、本発明の実施形態として有効である。また、当業者の知識に基づいて各種の設計変更等の変形を実施形態に対して加えることも可能であり、そのような変形が加えられた実施形態も本発明の範囲に含まれうる。
【００５６】
例えば実施形態においては、プラグ本体が備える２対の差込端子のうちの１対はコード２２と電気的に非接続である例を示したが、本発明はこれに限られず、２対の差込端子の両方がケース内でコード２２と電気的に接続されていてもよい。
この場合、電源プラグコードはコード２２を一本のみ有し、２対の差込端子の両方がケース内でコード２２に電気的に接続されていてもよい。
また、電源プラグコードはコード２２を２本以上有し、ケース２５内で２対の差込端子がそれぞれいずれかのコード２２に電気的に接続されていてもよい。この場合、各コード２２の他端には、それぞれテーブルタップ１０が接続されていてもよい。
このように１つのプラグ本体から複数のコード２２が延出される構造とすることで、複数の電気器具を異なる場所で使用する場合も、壁コンセントに対して電源プラグコードのプラグ本体を通常の２倍の嵌合力で取り付けられる。
【００５７】
また実施形態においては、プラグ本体とコード２２とは着脱不可に接続されることとしたが、変形例においては、プラグ本体とコード２２とは着脱可能に構成されてもよい。この場合、プラグ本体２４はコード２２用の差込口を備え、またコード２２はプラグ本体２４に接続するためのプラグを備える。プラグ本体２４のコード２２用の差込口とプラグ本体２４に接続するためのコード２２のプラグとは、不用意に外れないようネジ止め等で固定可能に構成されてもよい。またプラグ本体２４のコード２２用の差込口は抜け止めタイプの差込口として構成されてもよい。これにより、ユーザのニーズに合わせて接続する電気器具や延長コードの長さを選択可能であり、かつ不用意に外れづらいプラグ本体、電源プラグコード、及び延長コードセットを提供できる。
【産業上の利用可能性】
【００５８】
以上のように本発明は配線器具に関し、特に、電源プラグコード、及び延長コードセットに利用可能である。
【符号の説明】
【００５９】
１  延長コードセット、  １０  テーブルタップ、  ２０  電源プラグコード、  ２２  コード、  ２４  プラグ本体、  ２６  電源用差込端子、  ２８  疑似差込端子、  ４０  電源プラグコード、  ４１  プラグ本体、  ４６  疑似差込端子、  ６０  電源プラグコード、  ６１  プラグ本体、  ６６  疑似差込端子、  ８０  電源プラグコード、  ８１  プラグ本体、  ９０  電源プラグコード、  ９４  プラグ本体。
【図１】
2014157739.tif 000003
【図２】
2014157739.tif 000004
【図３】
2014157739.tif 000005
【図４】
2014157739.tif 000006
【図５】
2014157739.tif 000007
【図６】
2014157739.tif 000008
【図７】
2014157739.tif 000009
【図８】
2014157739.tif 000010
【図９】
2014157739.tif 000011
【図１０】
2014157739.tif 000012